(57)【特許請求の範囲】
【請求項１】
配送伝票に付されたユニーク番号に対応する情報を表示するバーコードを有する配送伝票の製造方法であって、連続紙の状態で文字や枠形状等の所定の印刷を行った後、当該票のバーコードをバーコード字輪で印字する際は、ｎ番目の票と次の票であるｎ＋１番目の票が連続している状態である境界線上において、縦幅の略半幅部分をｎ番目の票の配送荷物の届け先記載欄の一方側に印字し、残りのｎ番目用のバーコードの縦幅の略半幅部分をｎ＋１番目の票の配送荷物の届け先記載欄の他方側に印字する工程を有することを特徴とする配送伝票の製造方法。
【請求項２】
届け先記載欄の他方側に印字されたバーコードを印刷機で黒色または他の色で塗り潰す印刷工程を有することを特徴とする請求項１記載の配送伝票の製造方法。
【請求項３】
届け先記載欄の他方側に印字されるバーコードの印字領域を印刷機で、予め黒色にする印刷工程を有することを特徴とする請求項１記載の配送伝票の製造方法。
【発明の詳細な説明】
【技術分野】
【０００１】
本発明は配送伝票とその製造方法に関する。詳しくは、配送伝票中の票において、少なくともデータ入力に最初に用いられる票については、バーコードである伝票番号と届け先の郵便番号と電話番号記載欄を伝票面の特定箇所に集中して設けることにより、バーコードリーダーによる一括読み取りを可能にした配送伝票とその製造方法に関する。
【背景技術】
【０００２】
配送荷物は、国内の取扱店から集められ、主として国内各所の着店に配送される。需要や嗜好の変化、季節的な変動等があり、配送荷物の経路はさまざまで特定されない。
しかし、短期的であっても荷動きの地域的な繁忙閑散を予測することは、仕分けセンターや着店の設備や人的資源の配分を効果的に行う上で重要である。
従来、この予測は、バーコードで定められるユニーク番号と紐付けして入力されたデータを解析することにより把握されているが、バーコードの他に届け先郵便番号や電話番号が重要なデータとなることがあり、バーコードと共に一括して読み取りできることが望まれている。現状では、バーコードと届け先郵便番号や電話番号記載欄等が伝票面の離れた位置にあるので、複数回の読み取りが必要となる問題がある。
【０００３】
近年、ＯＣＲ（Ｏｐｔｉｃａｌ  Ｃｈａｒａｃｔｅｒ  Ｒｅｃｏｇｎｉｔｉｏｎ：光学式文字認識装置）が発達しており、バーコードと共に、郵便番号や電話番号の手書き数字を同時に読み取りできる装置が実現している。そのため、配送荷物の伝票についても、郵便番号や電話番号を端末あるいは携帯電話機のキーボードから入力するのではなく、双方の機能を備えるバーコードリーダーで一括読み取りできることが好ましい。
従って、配送伝票中の最初のデータ入力に用いられる票は、届け先郵便番号や電話番号の記載欄に近接して、バーコードを印字することが必要になる。本発明は、この目的に適合する配送伝票に関する。
【０００４】
ここで、参考のため、図面を参照して従来の配送伝票について説明する。
図６は、従来の配送伝票を示す模式側面図である。配送伝票１０は、封筒部２０と当該封筒中の票、および封筒部２０の上に積み重ねた複数枚の票からなっている。
耐水性に優れた複写用紙を封筒上紙２１とし、封筒下紙２２となるタック基材と上下周縁を接着し、左端縁側は、お届け先控１５と接着して封筒部２０を形成する。
この封筒部２０内に、お届け先控１５と配達票１６を配置する。お届け先控１５と配達票１６の左端縁側は封筒下紙２２であるタック基材に接着している。また、お届け先控１５と配達票１６は、左端縁側の接着部２３近くに形成したミシン目線Ｍにより切り取り可能にされている。封筒下紙２２の下面には粘着剤層２５と剥離紙２６が配置されている。
【０００５】
封筒部２０の下面には、基材と剥離紙２６の間に粘着剤層２５を有するいわゆるタック紙を使用しているが、このタック紙の上側の基材が封筒下紙２２として利用されている。
封筒部２０の上には、最上層を請求書兼ご依頼主控１１、その下に取扱店控１２、売上票１３とし、各票が順に積層されている。これらの票の左端縁側は接着剤Ｓにより接着され、同様にミシン目線Ｍにより切り取り可能にされている。封筒上紙２１は貼付票１４を兼ねるものであるが、封筒下紙２２とともに配送荷物に残るようにされており、切り取り用ミシン目線は設けられていない。貼付票１４は、封筒上紙２１に表示されており、配送荷物と一緒に最後まで残る票である。お届け先控１５は、届け先で後に確認するための控として保存する票である。配達票１６は、荷物が配送された際に係員が配達の証明として、届け先から捺印またはサインを得る目的の票である。
【０００６】
各票間は、裏カーボン紙を使ったコピー方式、あるいはノンカーボン（感圧複写）方式により、最上層の請求書兼ご依頼主控１１に筆記または印字した内容を最下層の配達票１６まで、コピーするようにされている。ここに、請求書兼ご依頼主控１１は、配送依頼人に対し取扱店が提出する請求書兼控のことである。取扱店控１２は、取扱店の控として保存される。売上票１３は運送会社の集荷担当者が持ち帰り、最初のデータ入力や売上げの管理に使用される票である。
【０００７】
以上の構成は配送伝票の一例であり、企業により一部の票は省略されることがあり、また他の票が追加される場合もあり得る。票の名称も統一されたものではない。
【０００８】
図７は、従来の売上票を示す平面図である。上記のように、運送会社の集荷担当者が、配送荷物と共に売上票１３ｊを持ち帰った後、バーコード３０を読み取りし、届け先郵便番号記載欄１３１や届け先電話番号記載欄１３２に基づき、郵便番号や電話番号の入力、および配送品の内容、運送料の精算方法、配達予定日、時間帯等の入力を行う。着店への到着や届け先への配送結果は、それらの時点の後に、逐次行われる。
図７において、売上票１３ｊの右上段の１２桁の数字は「問い合わせ番号」であり、請求書兼ご依頼主控１１から封筒下紙２２の７枚の用紙に共通に付される同一番号である。
同様に、売上票１３ｊの下段のバーコード３０も同様の性質を有するが、当該バーコード３０は、最上層の請求書兼ご依頼主控１１と売上票１３、貼付票１４、配達票１６に付され、その他の票には付されないようにされている。封筒下紙２２にも付されない。
【０００９】
問い合わせ番号２９は、バーコード３０が読めない場合のバッファーのために、バーコード３０と同一のデータである１２桁の番号となっている。伝票毎に固有のユニーク番号である。配送荷物の内容と送り主、届け先等の情報がこのバーコード３０により管理されており、管理サーバの蓄積データに、この番号により問い合わせすれば内容が特定される。
【００１０】
従来、このように、バーコード３０と届け先郵便番号記載欄１３１、届け先電話番号記載欄１３２が離れた位置にあるため、一括して読み取りできない問題があった。
本願は、少なくとも最初の入力に利用される売上票１３については、バーコード３０の縦幅を短縮して、配送伝票の届け先郵便番号、届け先電話番号の記載欄に近接して設け、読み取り装置による一括読み取りを可能にするものである。
その際、届け先や依頼人の氏名、住所等の記載欄を縮小や狭幅化することはできないので、現行の伝票仕様で縦幅を短縮したバーコード３０を届け先郵便番号記載欄１３１の上部に設けることとする。他の票のバーコードは、読み取り易さの観点から縦幅を短縮化しない従来のものを従来の位置で使用するものとする。
【００１１】
本願に密接に関連する先行文献は検出されないが、配送情報の管理に関して以下の文献がある。特許文献１は、配送伝票に付するバーコードの不正利用防止対策について記載している。特許文献２は、配送情報入力装置や配送情報登録方法について記載している。特許文献３は、配送情報処理端末等について記載している。
【先行技術文献】
【特許文献】
【００１２】
【特許文献１】特開２００５−  ２８６９７号公報
【特許文献２】特開２００７−１３３８３１号公報
【特許文献３】特開２００８−  ６８９６２号公報
【発明の概要】
【発明が解決しようとする課題】
【００１３】
配送伝票中の、少なくとも最初の入力に利用される票については、バーコード３０の縦幅を短縮して、配送荷物の届け先郵便番号、届け先電話番号記載欄の上段に近接して設け、読み取り装置による一括読み取りを可能にすることを課題とする。
また、バーコードは従来のバーコード字輪を使用して印字可能であることを前提とし、他の票については、従来サイズのバーコードとし、読み取り易さを確保することを課題とする。
【課題を解決するための手段】
【００１４】
本発明の要旨の第１は、境界線を介して複数の配送伝票が切り取り可能に連接した状態にある配送伝票において、前記配送伝票に付された配送荷物に関するデータ入力に利用される票については、当該配送伝票に付されたユニーク番号に対応する情報を表示するバーコードが、配送荷物の届け先記載欄の一方側であって、前記境界線側に設けられ、かつ前記バーコードが他の票のバーコードと同横幅であって、縦幅を略半幅に短縮したバーコードであることを特徴とする配送伝票、にある。
【００１５】
本発明の要旨の第２は、配送伝票に付されたユニーク番号に対応する情報を表示するバーコードを有する配送伝票の製造方法であって、連続紙の状態で文字や枠形状等の所定の印刷を行った後、当該票のバーコードをバーコード字輪で印字する際は、ｎ番目の票と次の票であるｎ＋１番目の票が連続している状態である境界線上において、縦幅の略半幅部分をｎ番目の票の配送荷物の届け先記載欄の一方側に印字し、残りのｎ番目用のバーコードの縦幅の略半幅部分をｎ＋１番目の票の配送荷物の届け先記載欄の他方側に印字する工程を有することを特徴とする配送伝票の製造方法、にある。
【００１６】
上記要旨の第２において、届け先記載欄の他方側に印字されたバーコードを印刷機で黒色または他の色で塗り潰す印刷工程を有するようにしても良く、届け先記載欄の他方側に印字されるバーコードの印字領域を印刷機で、予め黒色にする印刷工程を有するようにしても良い。
【発明の効果】
【００１８】
前記要旨の第１の発明によれば、ユニーク番号を表示するバーコードが、配送荷物の届け先郵便番号と届け先電話番号の記載欄に近接して設けられているので、読み取り装置による一括読み取りが可能であり、データ入力の手間を省くことができる。
また、前記要旨の第２の発明によれば、従来の縦幅のバーコード字輪を用いて、縦幅を短縮したバーコードを印字することができるので、装置の簡易化を図れる。
【図面の簡単な説明】
【００１９】
【図１】本発明の配送伝票中の売上票を示す平面図である。
【図２】バーコードの例を示す模式図である。
【図３】本発明の配送伝票中の最上層の票を示す平面図である。
【図４】バーコード印字前の製造工程中である売上票を示す平面図である。
【図５】バーコード印字後の製造工程中である売上票を示す平面図である。
【図６】従来の配送伝票を示す模式側面図である。
【図７】従来の売上票を示す平面図である。
【発明を実施するための形態】
【００２０】
以下、本発明の配送伝票を、図面を参照して説明する。本発明では、最初のデータ入力に用いられる売上票１３と筆記または印字に用いられる最上層の票に特徴があるので、以下、詳細に説明する。図１は、本発明の配送伝票中の売上票を示す平面図である。
なお、本明細書では売上票１３を配送荷物に関するデータ入力に最初に利用される票とするが、売上票の名称に限られず、他の票名が用いられ得ることもある。
【００２１】
図１の売上票１３は、図７の売上票１３ｊと異なり、届け先郵便番号記載欄１３１と届け先電話番号記載欄１３２に近接して、その上段にバーコード３０が印字されている。
バーコード３０は、図７に図示するように、従来は売上票１３ｊの右下部に印字さているが、その位置部分では、バーコード３０と届け先郵便番号記載欄１３１と届け先電話番号記載欄１３２が離れているので一括して読み取りできない問題がある。
そこで、本発明では、従来の伝票の形態を維持しつつ、すなわち、届け先郵便番号記載欄１３１と届け先電話番号記載欄１３２を縮小や狭幅化しないで、その上段位置にバーコード３０の縦幅を短縮して設け、届け先郵便番号と届け先電話番号を一括して読めるようにしたものである。なお、バーコード３０は、従来と同横幅であって縦幅のみを短縮したものであって良い。
【００２２】
このように、バーコード３０の縦幅のみを短縮して設けるためには、売上票１３の製造工程において、票の境界線上に跨るようにしてバーコード３０を印字し、その一方側票の略半幅部分を有効なものとして利用し、他方側票の残りの略半幅部分を無効なものとして読み取り不可能にする方法がある。
図１の売上票１３において、依頼主の住所、氏名記載欄の下部に印刷されているベタ印刷１９は、前記バーコード３０の残りの略半幅部分を読み取り不可能にするために設けられた印刷である。このようなベタ印刷１９は、バーコード３０の印字後に印刷しても良いし、バーコード印字前に当該領域に予め印刷しておくものであっても良い。
【００２３】
票の上段のバーコード３０と共に、下段（ご依頼主の住所、氏名記載欄の下部）にも、バーコードが残る場合は、僅かな幅であっても読み取り装置が下段のバーコードを誤って読み取りする危険があるので、痕跡が残らないようにする必要がある。
そのため、ベタ印刷１９は、バーコード３０の縦の略半幅よりもやや広い幅で印刷する必要があり、票の境界線に対するベタ印刷の印刷位置合わせや裁断精度を考慮すると、多少境界線を超えて（０．５〜１．０ｍｍ程度）他方側の票の領域にかかるように、ベタ印刷１９をするのが好ましいことになる。図１において、上段のバーコード３０部分に僅かなベタ印刷１９が見えるのは、その理由のためである。
【００２４】
また、従来の届け先郵便番号記載欄１３１と届け先電話番号記載欄１３２は、図７のように、郵便番号を見易くする目的で数字毎の枠を設け、電話番号部分は、中央部を括弧くくりするようにされていた。しかし、これらは読み取りの妨げになり易いので、図１の売上票１３では、届け先郵便番号記載欄１３１と届け先電話番号記載欄１３２の少なくとも数字記載範囲（図１において矩形状鎖線枠内）の全体を白紙の状態にしている。
【００２５】
ここで、バーコードについて説明する。
運輸業界では、宅配貨物の追跡管理にＣｏｄａｂａｒ（ＮＷ−７）が使用されている。
ＮＷ−７は、Ｎａｒｒｏｗ（狭い）とＷｉｄｅ（広い）の２種類の、４本のバーと３本のスペース（合計７本）で一つのキャラクタ（文字）を表現している。文字種は、数字、アルファベット、特殊記号である。
バーコードの横幅は、特に規定されていないが、印字精度を考慮すると、Ｎａｒｒｏｗエレメント幅を０．１５ｍｍ以下にするのは困難である。従って、横幅の縮小には限界がある。１２桁の数字を表示する配送伝票では、バーコード自体の横幅は、５５ｍｍ程度にされるが、横幅の左右に何も無い空白領域（クワイエットゾーン）を設ける必要がある。縦幅は、通常は１０ｍｍ程度であるが、縦幅の制限規定はない。
横幅を、この幅程度に維持する限り、縦幅を２〜３ｍｍ程度まで短縮しても読み取り精度は低下しない。近年の読み取り機では、バーコードの全幅が読み取りされるまで、スキャン角度を変えて繰り返し読み取りが迅速にされるからである。
【００２６】
図２は、バーコードの例を示す模式図である。
７桁の数字の例で説明するが、実際のＮＷ−７の表記方式とは図示の都合で一致していない。バーコード３０は、スタートキャラクタ３１とデータ３２と、チェックデジット３３と、ストップキャラクタ３４と、目視データ３５などを備えている。
チェックデジット３３は、データの正当性を検証するための数字であり、種々なアルゴリズムで計算される数字である。例えば、７チェック方式の場合、データ３２の部分を７で割ったときの余り（０〜６）の数字になる。ただし、チェックデジット３３は省略される場合もある。
目視データ３５は配送伝票の場合は、バーコード３０と同じ情報であって、バーコード３０の下段に記載されている文字である。この目視データ３５は、バーコード３０が機械読み取りできなかった場合に目視で読み取り、その番号を入手するために設けられている。
【００２７】
本発明では、売上票１３のバーコード３０の縦幅は短縮されているので、実際的には、バーの縦幅Ｔは、２〜５ｍｍ程度となる。バーコード３０は、印刷機のユニットによらず、バーコード字輪により印字される。１の伝票毎に異なるユニーク番号が与えられるためであり、当該番号により製造メーカやロット番号も特定できるようにされている。
バーコードプリンタによる印字は、連続紙の状態で文字や枠形状を印刷した後、バーコード印字の際は、ｎ番目の票と次の票であるｎ＋１番目の票が連続している状態である境界線上において、ｎ番目用の票のバーコードの縦幅の略上半幅部分がｎ＋１番目の票の下端部に印字され、残りの縦幅の略下半幅部分がｎ番目の票の上端部に印字されるようにする。
【００２８】
たとえば、ｎ番目の伝票のユニーク番号が「１２３４−５６７８−１２３４」である場合、その略上半幅部分が、ｎ＋１番目の票の下端部に印字され、その略下半幅部分がｎ番目の票の上端部に印字される。従って、伝票の上段に印字された略下半幅部分が有効であり、ｎ＋１番目の伝票の下段に印字された略上半幅部分のバーコードは、無効（無意味）なバー（数値）となる。
【００２９】
この下段に印字された略上半幅部分のバーコード３０を誤って読み取りしないように、当該印字領域に対して、バーコード３０の横幅と縦幅の寸法で、予め黒色で印刷しておくことが好ましい（図４、図５参照）。あるいは、印字後に印刷で黒色に塗り潰しても良い。
黒色とするのは、通常、黒色に印字するバーコードとの色差を最小にして読み取り不可能にするためである。
この印刷は、通常はオフセット印刷等で行う。塗り潰す場合は黒色に限らず、隠蔽性が十分であれば白色であっても良い。
【００３０】
次に、配送伝票の最上層の票について説明する。最上層の票とは、筆記またはインパクトプリンタにより直接印字される票をいい、例として、請求書兼ご依頼主控１１がある。
従来の最上層の票は、図７の従来の売上票１３ｊと同様の様式であるが、本発明の配送伝票では、様式を変えている。
【００３１】
図３は、本発明の配送伝票中の最上層の票を示す平面図である。
売上票１３とは異なり、この票（請求書兼ご依頼主控１１）には、図３（Ａ）のように、届け先郵便番号記載欄１３１と届け先電話番号記載欄１３２には、数字毎に区画する小枠が印刷されている。読み取り易い数字を正しく記載することを促すためである。
また、届け先郵便番号記載欄１３１と届け先電話番号記載欄１３２を構成する各数字の小枠内には、読み取り易い数字を記入し易くするために、文字形成パターンｍｐが表示されている。すなわち、図３（Ｂ）に図示するように、小枠の縦中心線と横中心線、小枠の右上から左下に向かう対角線、「３」の数字の上側と右下側を形成する線が、薄色の印刷色で印刷されている特徴がある。読みやすい数字の記載を誘導でき、またこれらの表示印刷がされていても、当該票自体は読み取り対象ではないので支障を生じないからである。
問い合わせ番号２９は、票の右上部に印字され、バーコード３０は、従来サイズのものが、票の右下部に従来のように印字されている。
【００３２】
配送伝票１０のその他の構成は、従来の配送伝票と同様である。側面図も、図７と同様になるので、図示を省略している。
【００３３】
次に、本発明の配送伝票の製造方法について以下に説明する。
連続紙状の各票用紙に配送伝票の文字・デザインをオフセット印刷で印刷し、さらに各枚目ごとにバーコードを活版式のバーコード字輪で印字する。連続紙のサイドの送り穴で位置合わせしながら、各票用紙の丁合と接着剤による綴じ合わせ、ミシン目線の形成を行う。なお、問い合せ番号は丁合時にクラッシュナンバー機で、一番上の枚目から印字し、カーボンで複写させて下枚目に複写させる。これにより、配送伝票１０を完成する。
【００３４】
本発明の配送伝票では、前記のように売上票の製造に特徴があるので、以下説明する。
図４は、バーコード印字前の製造工程中である売上票を示す平面図である。
売上票１１は、製造工程中であるため、複数の票が連接した状態にある。図４では、連接したｎ番目（図４において下段）の票とｎ+１番目の票（同上段）が図示され、ｎ＋２番目の票の一部が図示されている。次の図５も同様である。伝票の両サイドには送り穴８が形成されていて、これにより連続紙が、矢印Ｙの方向に移送される。
バーコードは印字前であるためバーコードは表示されていない。丁合時に印字する問い合わせ番号も印字されていない。ご依頼主の住所、氏名記載欄の下に細長い矩形状の黒色のべタ印刷１９がされているのは、この部分に印字されるバーコードが後に読み取りされないようにする目的である。前記のように、ベタ印刷１９は、印刷の位置合わせや断裁精度を考慮して、票間の境界ｇ１線，ｇ２線を僅かに跨るように印刷されている。このベタ印刷１９は、伝票の文字等と同様に、通常のオフセット印刷等で行う。
【００３５】
図５は、バーコード印字後の製造工程中である売上票を示す平面図である。
ｎ番目の票と次の票であるｎ＋１番目の票が連続している状態である境界ｇ１線上において、ｎ番目用の票のバーコード３０が印字され、その縦幅の略上半幅部分がｎ＋１番目の票の下端部に印字され、残りの縦幅の略下半幅部分がｎ番目の票の上端部に印字されている。また、ｎ＋１番目の票と次の票であるｎ＋２番目の票が連続している状態である境界ｇ２線上において、ｎ＋１番目用の票のバーコード３０の縦幅の略上半幅部分がｎ＋２番目の票の下端部に印字され、残りの縦幅の略下半幅部分がｎ＋１番目の票の上端部に印字されている。
【００３６】
票の上端部に印字されたバーコード３０の略下半幅部分が読み取りに使用される部分であり、票の下端部に印字されたバーコード３０の略上半幅部分は、読み取りには使用されないものである。この票の下端部のバーコード３０は、僅かでも見えると誤って読み取りされる危険があるので、細長い矩形状の黒色のべタ印刷１９と重なって完全に読み取りできないようにされている。
なお、その目的から明らかなように、黒色のベタ印刷１９は、バーコード３０の印字後に、当該バーコード３０部分を覆うように印刷しても良いものである。バーコード自体が読めなければ良いので、この場合は、黒色に限られないで、隠蔽性が十分であれば白色でも良いことは明らかである。
【００３７】
票の上端部に印字されたバーコード３０の略下半幅部分には、目視データ３５も印字されているが微細なため図示を省略している。なお、問い合わせ番号２９は丁合時に印字されるので、実際にはまだ印字されていないが、便宜上、図示している。この問い合わせ番号２９は目視データ３５と同一の数値を示すものである。
【００３８】
〈材質に関する実施形態〉
（１）伝票用紙
各伝票用の用紙には、ノーカーボン用紙や複写用紙を使用できる。表面側から、１枚目、２枚目の用紙にはノーカーボン用紙を使用することが多く、下層では複写性の優れるカーボン用紙を使用することが好ましい。封筒上紙２１には、雨や雪濡れの対策として、耐水複写用紙を使用するのが好ましい。
（２）粘着剤と剥離紙
粘着作用をする通常の粘着剤を粘着剤層２５に広く使用できる。剥離紙２６には紫外線硬化性樹脂やシリコン等により剥離処理した材料を使用できる。
【実施例】
【００３９】
１枚目用紙（請求書ご依頼主控１１）から売上票１３、およびタック紙の大きさを、長さ２０２ｍｍ、幅１１４ｍｍとし、封筒上紙（貼付票２１）の大きさを、長さ１８６ｍｍ、幅１１４ｍｍとし、お届け先控１５と配達票１６は、幅１０２ｍｍとなるようにして配送伝票１０を製造した。
なお、タック紙とは、タック基材（封筒下紙２２）と剥離紙３２の間を粘着剤で接着したものである。
【００４０】
１枚目用紙（請求書ご依頼主控１１）にノーカーボントップ（４０ｇ／ｍ２）、２枚目用紙（取扱店控１２）にノーカーボンボトム（４０ｇ／ｍ２）、３枚目用紙（売上票１３）に複写用紙（４１ｇ／ｍ２）、４枚目用紙（封筒上紙２１を兼ねる貼付票１４）に耐水複写用紙（５０ｇ／ｍ２）、４枚目用紙（お届け先控１５）に複写用紙（３７ｇ／ｍ２）、５枚目用紙（配達票１６）に複写用紙（６４ｇ／ｍ２）を使用した。封筒下紙２２にはタック紙のタック基材を使用した。
【００４１】
１枚目用紙（請求書ご依頼主控１１）の文字・デザイン、届け先郵便番号記載欄１３１、届け先電話番号記載欄１３２を、図３のようにし、売上票１３の文字・デザイン、届け先郵便番号記載欄１３１、届け先電話番号記載欄１３２を、図１のようにした。
連続紙状のその他の各枚目に文字・デザインをオフセット印刷で印刷し、バーコード３０をバーコード字輪で印字した後、連続紙のサイドの送り穴８で位置合わせしながら、各用紙の丁合と接着剤による綴じ合わせ、および綴じ側のミシン目線の形成を行い、クラッシュナンバー機で問い合せ番号（１２桁の数字）２９の印字を行って、配送伝票１０を完成した。
【００４２】
なお、売上票１３のバーコード３０は、予め黒ベタ印刷１９を票の境界部分に、図４のように印刷しておき、その黒ベタ印刷１９部分面上に、バーコード字輪で印字し、届け先郵便番号記載欄１３１の上段に有効なバーコード３０が残るようにした。バーコード３０のバーの縦幅Ｔは、２〜６ｍｍとなった。
売上票１３以外の他の票のバーコード３０は、従来どおりのものであり、横幅５０〜５６ｍｍ、バーの縦幅１０〜１１ｍｍのものである。
【００４３】
実施例１で完成した配送伝票１０を実用し、文字認識機能付きバーコードリーダーを使用して、売上票１３のバーコード３０、および筆記した届け先郵便番号記載欄１３１の郵便番号と届け先電話番号記載欄１３２の電話番号を一括して誤りなく読み取りすることができた。
【符号の説明】
【００４４】
８  送り穴
１０  配送伝票
１１  請求書兼ご依頼主控
１２  取扱店控
１３  売上票
１３ｊ  従来の売上票
１４  貼付票
１５  お届け先控
１６  配達票
１９  ベタ印刷
２０  封筒部
２１  封筒上紙
２２  封筒下紙
２３  接着部
２４  開口
２５  粘着剤層
２６  剥離紙（セパ紙）
２９  問い合わせ番号
３０  バーコード
３１  スタートキャラクタ
３２  データ
３３  チェックデジット
３４  ストップキャラクタ
３５  目視データ
１３１  届け先郵便番号記載欄
１３２  届け先電話番号記載欄
ｍｐ  文字形成パターン
【図１】
0006492425.tif 000002
【図２】
0006492425.tif 000003
【図３】
0006492425.tif 000004
【図４】
0006492425.tif 000005
【図５】
0006492425.tif 000006
【図６】
0006492425.tif 000007
【図７】
0006492425.tif 000008